(57)【要約】【解決手段】乾き防止用収納式筆記具において、結合手段を備えるケーシングと；ペン先とペン先延長軸とを連結するペン先連結突部が突設されているカートリッジと；弾性復元力を持つバネと；内部通路に前記ペン先を収納する円筒状のＯリングと；前記Ｏリングに対して回転しながらそのペン先出入口を開閉させるように前記ケーシングと結合手段によって結合されて回転する開閉リングと；を備え、ノック部を押し込むとき、前記開閉リング４０がノック部とカートリッジに連動するＯリングに対して回転して、前記ペン先の軸方向と一致するように貫通通路を開放させ、前記ペン先がペン先孔の外部に突出することによって使用可能な状態になり、さらにカートリッジを後退させるとき、前記カートリッジのペン先連結突部がＯリングを保持しながら、Ｏリングと一緒に後進することによって、前記開閉リングが回転してＯリングの貫通通路を塞ぐことを特徴とする。
2009545472.tif 000002
【特許請求の範囲】
【請求項１】
動作制御部を備える乾き防止用収納式筆記具において、
ペン先孔（１３）から所定距離だけ離れた位置に結合手段を備えるケーシング（１０）と；
ペン先（２４）とペン先延長軸（２３）とを連結するペン先連結突部（２２）が突設されているカートリッジ（２０）と；
前記カートリッジ（２０）を押し出すための弾性復元力を持つバネと；
前記ペン先延長軸（２３）と密着結合し、その内部通路に前記ペン先（２４）を収納する円筒状のＯリング（５０）と；
前記Ｏリング（５０）を内部に収納するように結合され、前記Ｏリング（５０）に対して回転しながらそのペン先出入口（５１）を開閉させるように前記ケーシング（１０）と結合手段によって結合されて回転する開閉リング（４０）と；を備え、
ノック部（２９）を押し込むとき、前記開閉リング（４０）が前記ノック部（２９）とカートリッジに連動するＯリング（５０）に対して回転して、前記ペン先（２４）の軸方向と一致するように貫通通路を開放させ、前記ペン先（２４）がペン先孔（１３）の外部に突出することによって使用可能な状態になり、さらにカートリッジ（２０）を後退させるとき、前記カートリッジ（２０）のペン先連結突部（２２）がＯリング（５０）を保持しながら、Ｏリング（５０）と一緒に後進することによって、前記開閉リング（４０）が回転してＯリング（５０）の貫通通路を塞ぐことを特徴とする収納式筆記具。
【請求項２】
前記ケーシング（１０）は、その内壁に軸方向の線形リブ（１８）が形成され、前記バネの端が前記線形リブ（１８）に捕らえられることによって、前記バネが回転できないようにすることを特徴とする請求項１に記載の乾き防止装置を備えた収納式筆記具。
【請求項３】
前記開閉リング（４０）は、回転運動して前記Ｏリング（５０）を開閉させるものであって、
前記Ｏリング（５０）及びペン先（２４）がケーシングに収納されている状態で、前記開閉リング（４０）が回転するようにするガイドスロットを提供するために、前記開閉リング（４０）の側面に形成されている楕円形の開口（４１）と；
前記Ｏリング（５０）内に気密に収納容されているペン先（２４）がペン先孔（１３）に前進するように、前記ペン先出入口（５１）を開放させる円形口（４２）と；
前記開閉リング（４０）の側面の向かい側の端部から突設し、前記ケーシング（１０）の結合手段内に移動可能に収納され、前記リング（４０）の直線運動中に回転させる一対の突起（４３）と；を備えることを特徴とする請求項１に記載の乾き防止装置を備えた収納式筆記具。
【請求項４】
前記Ｏリング（５０）は、
前記Ｏリングの側面（５５）から前記ペン先出入口（５１）の外側に直線状に伸びた一対の上側段部（５２）と；
前記Ｏリング（５０）の側面（５５）からペン先密閉部材（５３）の外側に直線状に伸びた一対の下側段部（５４）と；を備え、
前記Ｏリング（５０）と結合された前記開閉リング（４０）が、前記Ｏリング（５０）に対して回転するとき、前記Ｏリング（５０）から離脱しないように収納されることを特徴とする請求項１に記載の乾き防止装置を備えた収納式筆記具。
【請求項５】
前記ケーシング（１０）に形成されている前記結合手段は、前記ペン先孔（１３）から所定距離だけ離れて形成されている一対のガイドスロット（１７）を含み、突起（４３）は各ガイドスロット（１７）に移動可能に収納されることを特徴とする請求項１に記載の乾き防止装置を備えた収納式筆記具。
【発明の詳細な説明】
【技術分野】
【０００１】
本発明は筆記具に関し、特に、カートリッジから供給されるインクが出るペン先を筆記具の使用時にだけに突出させ、不使用時には気密な状態で筆記具の内部に収納する乾き防止装置を備えた収納式筆記具に関する。
【背景技術】
【０００２】
一般に、筆記具は、固定式筆記具と、回転式筆記具と、ノック式筆記具と、収納式筆記具とに大別される。回転式筆記具は、カートリッジ（芯）が固定されており、キャップによってペン先が覆われる。回転式筆記具は、ケーシングの一部を回転させたときに、螺旋状の溝に沿って芯の一部がケーシングの外部に突出する。ノック式筆記具は、軸の一部が押されたとき、スプリングの弾性力に抗って芯を突出する。収納式筆記具は、芯がケーシングから突出及び軸に収納されるようにスライドする。
【０００３】
収納式筆記具は、別のふたを開閉する不便さなしに使用することができる利点があるが、ペン先が突出するペン先孔が筆記具の一端に空けられている。このため、このようなスライド式の構造は、油性インクなどのように不揮発性、または揮発性が弱い筆記具にだけ限定して適用可能である問題点がある。
【０００４】
一方、揮発性の強いマーカーペン、修正ペン、水性ボールペン、蛍光ペンなどは、キャップを取り付けなければならず、キャップを開閉する不便さがある。揮発性の強い筆記具にキャップが使用される理由は、ペン先が空気中に放置される場合、ペン先のインクが乾き、これによって、筆記具の寿命が短縮されるからである。
【０００５】
このような問題点を解決するために、液状や半液状のインク、または揮発性や不揮発性インクを使用する筆記具において、ペン先を保護することによって、インクの乾きを防止する筆記具を開発するための努力がなされている。
【０００６】
ペン先の乾きを防止し、ペン先を保護するための技術が提案されている。このような筆記具は、収納式の構造を備え、筆記具の押しボタンを一度押せば、ゴムの引張力によってペン先部位を覆っているカバーが開き、押しボタンをもう一度押せば、カバーが閉じることによって、インクの乾きを防止する。
【０００７】
しかし、このような筆記具は、ゴムの引張力を利用するので、カバーの開閉が迅速に行われず、耐久性が低く、さらに、孔を一時的に閉めているカバーの気密能力が非常に不安定な欠点がある。
【０００８】
また、他の従来技術として、大韓民国登録実用新案１９９９年第１７４２７９号の「ペン先の乾き防止装置」がある。この文献によると、収納式筆記具の押しボタンを押せば、ペン先がゴムパッキングの切開溝を通過して露出することによって、ペンが使用できるようになり、押しボタンを解除するかまたは再び押し込むことによりペン先が元の位置に戻ると、ゴム弾性によって切開溝が密閉することによって、インクの乾きを防止ずる。
【０００９】
しかし、この方式は、頻繁な使用によって切開溝が塑性変形し、スライドすべき反対側の押込部の密閉が困難で、密閉効率が落ちる欠点がある。
【００１０】
また、さらに他の従来技術として、大韓民国特許出願２０００年第６５６９３号の「分離しない弾性体ふたを備えた筆記具」がある。この文献によると、ペン先が貫通するように、切開溝をペン先の方向に形成し、反対方向の筆記具のガイド溝に密着した形態を有する弾性体のキャップを備え、キャップの後退時にペン先が露出して筆記可能な状態になり、キャップの前進時にインクの乾きを防止する状態になり、中間部位では筆記具胴体の形状と同一形態を維持するようにしたものである。
【００１１】
しかし、同第６５６９３号においても、ペン先が切開溝を通じて突出することによって、切開溝の周囲がペン先のインクによって汚れる問題がある。さらに、弾性変形が予想されるゴムリングのような補助部材で切開溝を閉じるので、ペン先が切開溝に直接接触して、ペン先が破損したり、故障するおそれがあり、筆記具の耐久性が相対的に低下する問題がある。また、ゴムリングが切開溝の外に露出しているので、外部の物体との接触によってゴムリングが破損するおそれがある。さらに、頻繁な使用の後、切開溝が変形することによって、ペン先の気密性が低下するおそれがある。
【発明の概要】
【発明が解決しようとする課題】
【００１２】
前記のような問題点を解決するための本発明の目的は、直接的に駆動することによって、速かに開閉する乾き防止装置を備え、簡単に使用できることによって、カートリッジの端部であるペン先が接触することなく軸から出入りし、ペン先の気密を維持することができるスライド式筆記具を提供することである。さらに、本発明のスライド式筆記具は、キャップを使用することなく、ペン先のインクの乾きを防止することができ、物理的にペン先を安全に保護することができ、使用が簡便な乾き防止装置を備えた収納式筆記具を提供することを目的とする。
【００１３】
また、本発明の他の目的は、ペン先からのインクの揮発を最小とするように、機密機能を持つＯリング及び開閉リングの材質を特殊なゴム材で製作した乾き防止装置を備えた収納式筆記具を提供することである。
【課題を解決するための手段】
【００１４】
前記目的を達成するために、本発明は、動作制御部を備える乾き防止用収納式筆記具において、ペン先孔から所定距離だけ離れた位置に結合手段を備えるケーシングと；ペン先とペン先延長軸とを連結するペン先連結突部が突設されているカートリッジと；前記カートリッジを押し出すための弾性復元力を持つバネと；前記ペン先延長軸と密着結合し、その内部通路に前記ペン先を収納する円筒状のＯリングと；前記Ｏリングを内部に収納するように結合され、前記Ｏリングに対して回転しながらそのペン先出入口を開閉させるように前記ケーシングと結合手段によって結合されて回転する開閉リングと；を備え、ノック部を押し込むとき、前記開閉リングが前記ノック部とカートリッジに連動するＯリングに対して回転して、前記ペン先の軸方向と一致するように貫通通路を開放させ、前記ペン先がペン先孔の外部に突出することによって使用可能な状態になり、さらにカートリッジを後退させるとき、前記カートリッジのペン先連結突部がＯリングを保持しながら、Ｏリングと一緒に後進することによって、前記開閉リングが回転してＯリングの貫通通路を塞ぐことを特徴とする収納式筆記具を提供する。
【発明の効果】
【００１５】
前述したように、本発明の乾き防止装置を備えた収納式筆記具は、別に取り付けられるキャップを開閉する不便さなしに使用することができ、ペン先の出入によってケーシングのペン先突出用の孔を開くまたは閉じることによって、インクの乾きを防止することができる利点がある。
【００１６】
また、本発明の乾き防止装置を備えた収納式筆記具は、開閉制御モジュールが単純で組立てが簡単であり、付属品の生産コストを削減することができるので、消費者に魅力的であり、市場に受け入れやすい。
【００１７】
ここで、本発明の乾き防止装置を備えた収納式筆記具に関する技術的思想を添付図面に基づいて説明するが、これは本発明の実施形態の一例を説明したもので、本発明を限定するものではない。また、この技術分野の通常の知識を持つ者であれば、本発明の技術的思想の範囲を逸脱しない範囲内で多様な変更及び置換が可能であるのは明らかである。
【図面の簡単な説明】
【００１８】
【図１】本発明の乾き防止装置を備えた収納式筆記具のケーシングの斜視図及び断面図である。
【図２】本発明の乾き防止装置を備えた収納式筆記具のケーシングの斜視図及び断面図である。
【図３】本発明の乾き防止装置を備えた収納式筆記具のケーシングの斜視図及び断面図である。
【図４】開閉リングの斜視図及び側面図である。
【図５】開閉リングの斜視図及び側面図である。
【図６】開閉リングの斜視図及び側面図である。
【図７】Ｏリングの斜視図及び断面図である。
【図８】Ｏリングの斜視図及び断面図である。
【図９】Ｏリングの斜視図及び断面図である。
【図１０】開閉リングとＯリングの結合斜視図及び断面図である。
【図１１】開閉リングとＯリングの結合斜視図及び断面図である。
【図１２】開閉リングとＯリングの結合斜視図及び断面図である。
【図１３】カートリッジの斜視図である。
【図１４】開閉リング、Ｏリング及びカートリッジの結合斜視図である。
【図１５】本発明の乾き防止装置を備えた収納式筆記具の作動順を示す図である。
【図１６】図１５の作動順による突起の移動経路を示す断面図である。
【図１７】図１５の作動順による突起の移動経路を示す断面図である。
【発明を実施するための形態】
【００１９】
以下、本発明の乾き防止装置を備えた収納式筆記具の一実施例を、添付図面に基づいて詳細に説明する。
【００２０】
図１〜図３は、本発明の乾き防止装置を備えた収納式筆記具のケーシングの斜視図及び断面図であり、図４〜図６は、開閉リングの斜視図及び断面図であり、図７〜図９は、Ｏリングの斜視図及び断面図である。
【００２１】
また、図１０〜図１２は、開閉リングとＯリングの結合斜視図及び断面図であり、図１３は、カートリッジの斜視図であり、図１４は、開閉リング、Ｏリング及びカートリッジの結合斜視図である。
【００２２】
また、図１５は、本発明の乾き防止装置を備えた収納式筆記具の結合断面図であり、図１６及び図１７は、図１５の作動順による突起の移動経路を示す断面図である。
【００２３】
本発明の筆記具は、単一の本体または２分割可能な本体のいずれかによって構成されたケーシング１０を含む。特に、以下に説明する直接駆動方式で、迅速に開閉する乾き防止装置をケーシング１０の内部に備える。
【００２４】
ここで、本発明において、直接駆動方式とは、ケーシング１０のペン先孔１３が乾き防止装置の可動リングによって密閉されているが、使用者がノック部２９を押したときに、その力が可動リングに直接的に伝達されて、可動リングが動作することによりＯリングによるペン先出入口が開放される方式をいう。
【００２５】
また、ケーシング１０は、その円錐状の一端にペン先孔１３を形成され、他端にノック部２９が結合されている。
【００２６】
すなわち、使用者は、本発明の筆記具のケーシング１０を片手で握った後、親指などによって筆記具の上端の押込部にあたるノック部２９を押す。すると、ノック部２９とカートリッジに連動する開閉リングは、時計方向に回転しながら貫通通路をペン先２４の軸方向に一致させるようにするとともに、ケーシング１０のペン先孔１３が開放する。
【００２７】
その後、ペン先２４は開閉リングの円形孔を通じて、ペン先孔１３の外部に突出することによって、ユーザが筆記具を使用可能となる。
【００２８】
一方、使用者がノック部２９を押すと、ケーシング１０の内部に設けられたスプリングによって、突出したペン先２４が元の位置、すなわちケーシング１０の内部に収納される。このとき、開閉リングは反時計方向に回転することによって、円形孔がペン先２４の軸方向に垂直になるとともに、ケーシング１０のペン先孔１３を閉じる。
【００２９】
本発明による乾き防止装置を備えた収納式筆記具は主に五つの部品、すなわち、ケーシング１０、カートリッジ２０、Ｏリング５０、リング４０、スプリングを含む。これは、１０個以上の部品を使用した従来の筆記具より、少ない部品しか必要としないので、組立てが容易である。
【００３０】
詳細には、図１を参照すれば、ケーシング１０は、ゴム、シリコン、軟質のプラスチック素材のいずれか１種の材質を用いた射出成形またはモールド成形によって製作することができるので、一体のケースまたは二つの部分に分割可能なケースが構成される。
【００３１】
また、ケーシング１０は、プラスチックの一般的な特性、すなわち弾性、可撓性伸縮性を有する。
【００３２】
ここで、ケーシング１０の一端には、カートリッジ２０のペン先２４が収納できる大きさのペン先孔１３が形成され、ケーシング１０の他端にはカートリッジ２０の本体が収納できる大きさのカートリッジ挿入孔１４が形成されている。
【００３３】
また、ケーシング１０の他端側の外周には、様々な形式に設計された動作制御部１１が、ケーシング１０と一体型に形成されるか、またはケーシング１０と機構的に結合されている。望ましくは、動作制御部１１は、係止部と係合することによって、ペン先２４の突出状態または収納状態を維持する。
【００３４】
また、円錐状に形成されたケーシング１０の一端には、ペン先孔１３が形成されており、ノック部２９を含む以下に説明する構成を収納することができる内径を有する挿入孔１４が形成されている。筆記具の外部から見ると、ノック部２９は挿入孔１４に結合されている。
【００３５】
図１を参照すれば、ノック部２９は、使用者がノック部２９を押した力をカートリッジ２０に伝達するように機能する。このようなノック部２９は、小径部と大径部を有する管状である。ノック部の小径部側の端部は開口しており、ノック部の他端である大径側の端部は閉塞している。
【００３６】
ケーシング１０は、そのペン先孔１３側を前部とし、ノック部が挿入される挿入孔１４側を後部とするとき、把持される部分となる側面には、図２及び図３に示すように、穿設されたガイドスロット１７は対称の位置に一対形成される。
【００３７】
ガイドスロット１７は、後述する開閉リングの突起が回転しながら移動する移動経路を提供する。
【００３８】
また、図２に示すように、ケーシング１０の前端部の内壁に軸方向に線形リブ１８が形成され、線形リブ１８は、スプリングが回転しないように、スプリングを保持する。
【００３９】
図４〜図６は開閉リング４０を示す。開閉リング４０は、長円形又は楕円形の開口４１、円形の開口４２及び突起４３を備える。
【００４０】
開閉リング４０は、後述するＯリング５０と同一の材質、つまり合成樹脂の弾性体で射出成形されることを特徴とする。
【００４１】
また、後述するＯリングと開閉リング４０の間で、これらの部品が密着及び分離する際に発生するゴムの摩擦を最小にするために、これらの部品に潤滑油が塗布される。潤滑油は、粘度１０万以上のシリコンオイルを使用する。
【００４２】
開閉リング４０は突起４３を軸として回転することによって、Ｏリングによって覆われているペン先が出入りするための通路を提供する。
【００４３】
楕円形の開口４１は、Ｏリング及びペン先がケーシングに挿入されている状態で、開閉リングが移動するガイドを提供する長軸を有する。
【００４４】
円形の開口４２は、楕円形の開口４１の短径と同一の直径を持つ。円形の開口４２は、開閉リングによって覆われているペン先がペン先孔１３に前進するための開口を有する。
【００４５】
二つの突起４３は、開閉リング４０の側端から突設されている。
【００４６】
図７及び図８はＯリング５０を示す図である。Ｏリング５０は、円筒状で、その上端及び下端が開口しており、ペン先出入口５１、上側段部５２、ペン先密閉部材５３及び下側段部５４が形成されている。
【００４７】
ペン先出入口５１は、通常時は、開閉リング４０の側面で閉じられている。開閉リング４０がある方向に移動したとき、ペン先出入口５１は、円形の開口４２と位置を合わせるように重なることによって、ペン先が通過することができる出入口になる。
【００４８】
上側段部５２は、Ｏリング５０の側面５５の一端からペン先出入口５１の外側に縦方向かつ直線状に延伸した一対の段部である。
【００４９】
ペン先密閉部材５３は、ペン先と連結されているペン先延長軸と密着する孔を形成する。
【００５０】
下側段部５４は、Ｏリング５０の側面５５の他端からペン先密閉部材５３の外側に直線状に伸びた一対の段部である。
【００５１】
上側段部５２と下側段部５４とは、Ｏリング５０と結合して相対回転をする開閉リング４０が、Ｏリング５０から不用意に外れにくいように開閉リング４０を保持する。
【００５２】
図１０〜図１２は開閉リング４０とＯリング５０の結合状態を示す。
【００５３】
図１０に示すように、開閉リング４０はＯリング５０を収納している。このため、Ｏリング５０の上側段部５２と下側段部５４によって、開閉リング４０とＯリング５０とが離脱しないように結合されている。
【００５４】
特に、図１１の断面図に示すように、開閉リング４０とＯリング５０が互いに密着するように、これに対応する直径及び高さを持っていることが分かる。
【００５５】
図１３に示すように、カートリッジ２０は、大容量タンク部を有する。インクタンクは、その容量に対応する所定時間の間にペン先２４を通じて、連続的かつ均一にインクを放出することができる。
【００５６】
ここで、カートリッジ２０の一端にはペン先２４が設けられる。このようなペン先２４は、ペン先延長軸２３の一端に形成された孔に固定されている。
【００５７】
ペン先延長軸２３は、中空で円形のチューブ状であって、ペン先にインクを供給し、タンク部の直径より小さな直径である。
【００５８】
また、ペン先延長軸２３の端部には、ペン先２４が固定される。タンク部の内容物（すなわち、インク）は、タンク部からペン先２４へ、筆記具の種類に対応する通常のインク供給方式（例：毛細管現象、圧力差、吸引など）によって供給される。
【００５９】
また、ペン先延長軸とペン先は、ペン先連結突部２２を介して互いに連結されている。
【００６０】
ペン先連結突部２２は、後述する乾き防止装置を備えた収納式筆記具の動作において、突出したカートリッジ２０が後退するとき、ペン先連結突部２２がＯリング５０のペン先密閉部材５３に捕らえられ一緒に後退する。
【００６１】
ペン先２４は、油性または水性インク用チップ、修正液排出用チップ、蛍光ペン用チップ、マーカーペン用チップまたは他の種類のチップが、筆記具の種類に応じて使用され、チップの種類に適したインク供給方式が使用することができる。
【００６２】
カートリッジ２０は、動作制御部１１と連動して動作する。係止部には、カートリッジを有する通常の筆記具で使用される通常の繰り出しメカニズムを使用することができる。
【００６３】
また、カートリッジ２０は、図１の動作制御部１１と連動して動作する。大韓民国特許出願２００３年第５５４１４号、同第５６９４０号に開示された繰り出しメカニズムであって、安全なノック式と同一または類似の繰り出しメカニズムを係止部に有する。
【００６４】
カートリッジ２０が、ケーシング１０のカートリッジ挿入孔１４を通じて挿入された後、使用者が動作制御部１１を操作したとき、前述した繰り出しメカニズムによって、ペン先２４をケーシング１０のペン先孔１３から突出またはペン先孔１３に収納するように、所定のストローク範囲内で往復移動することができ、所定のストロークの両端で一時的に停止することができる。
【００６５】
スプリング（本図には図示せず、各要素の作動関係図に後述する）は、その一端がカートリッジ２０の段部の下端と当接し、他端がケーシング１０のリブ１８に当接している。
【００６６】
その後、スプリング７は、作動の際、カートリッジ２０のストローク範囲内でカートリッジ２０を軸方向に押し出す。
【００６７】
すなわち、カートリッジ２０とノック部２９とが前方に所定ストローク距離だけ動くとき、スプリング７は圧縮される。これにより、スプリング７は圧縮状態から伸長状態に復元しようとする弾性反発力を発生する。
【００６８】
本発明において、カートリッジ２０のストローク距離はノック部２９のストローク距離と同一である。
【００６９】
図１４はカートリッジ２０、開閉リング４０及びＯリング５０の結合状態を示す。
【００７０】
楕円形の開口４１を通じて開口しているペン先密閉部材５３にペン先が挿入される。これにより、ペン先がＯリング５０の内部に収納され、ペン先に連結されているペン先延長軸はペン先密閉部材５３と密着して結合されている。
【００７１】
この際、開閉リング４０は、上側段部５２と下側段部５４によって保持された状態で、楕円形の開口４１のガイドの範囲内で回転可能になる。
【００７２】
図１５は、本発明の乾き防止装置を備えた収納式筆記具の作動によるペン先の突出及び収納過程を示し、図１６及び図１７は、図７のペン先の突出及び収納によって突起が移動する経路を示す断面図を示す。
【００７３】
図１６は、突起４３が位置するガイドスロット１７を軸方向に垂直に切った断面図であり、図１７は、図１５の断面において突起とガイドスロットの詳細を示す図である。
【００７４】
図１５（ａ）、図１６（ａ）、図１７（ａ）に示すように、ペン先は、Ｏリング５０の内部通路に位置し、一端はペン先出入口５１を塞いでいる開閉リング４０の側面によって、他端はペン先延長軸と密着して結合しているペン先密閉部材５３によって、外部から閉塞されるように収納されている。
【００７５】
さらに、突起４３はケーシング１０のガイドスロット１７の一端にか当接している。スプリング７は、その一端がカートリッジ２０の段部の下端と当接し、その他端がケーシング１０のリブ１８の壁に当接している。
【００７６】
この状態で、図１５（ｂ）、図１６（ｂ）１７（ｂ）に示すように、ノック部を押し込んだとき、カートリッジ２０が前進し、スプリングは圧縮される。
【００７７】
そして、カートリッジ２０と結合しているＯリング５０と開閉リング４０は、カートリッジ２０と一緒に前進する。
【００７８】
ここで、Ｏリング５０とカートリッジ２０は、ケーシング１０の内部通路に沿って直線状に移動する。しかし、開閉リング４０の突起４３はケーシング１０のガイドスロット１７に位置しているので、直線的に移動しつつ、開閉リング４０は突起４３を中心として回転する。
【００７９】
さらに、開閉リング４０は、突起４３がガイドスロット１７内に位置している状態でＯリング５０及びカートリッジ２０とともに移動するので、図１６（ｂ）及び図１７（ｂ）に示すように、突起４３は、ガイドスロット１７に沿って徐々に右側に移動して、開閉リング４０の自転運動を可能にする。そして、突起４３は、ガイドスロット１７の他端に接触する。
【００８０】
本実施の形態では、開閉リング４０が突起４３を軸として回転するとき、図示されるように、開閉リング４０は、楕円形口４１と円形の開口４２を含む側面が時計方向に回転する。、これによって、ペン先出入口５１を密閉している開閉リング４０の側面が回転し、ペン先出入口５１は円形の開口４２と出会って、徐々に開く。その後、図１５（ｃ）、図１６（ｃ）、図１７（ｃ）に示すように、ペン先出入口５１が円形口４２と完全に位置が合う。
【００８１】
このとき、図１６（ｃ）及び図１７（ｃ）に示すように、円形口４２とＯリング５０の内部通路は一直線状の位置になる。楕円形の開口４１の一端はペン先延長軸に当接し、各突起４３はガイドスロット１７の一端に当接する。
【００８２】
このような状態で、図１６（ｄ）及び図１７（ｄ）に示すように、ノック部をさらに押し込んで、カートリッジ２０をさらに前進させたとき、Ｏリング５０の上側段部５２がケーシング１０の内壁と当接し、Ｏリング５０はそれ以上前進できなくなる。さらに、突起４３がガイドスロット１７と当接する状態となって、開閉リングはそれ以上同一方向（すなわち、時計方向）に回転できなくなる。したがって、開閉リング４０の及びこれと結合されているＯリング５０は、それ以上前進できず停止して、図１６（ｃ）及び図１７（ｃ）の状態を維持する。
【００８３】
したがって、ノック部をさらに押し込んでも、カートリッジ２０のみが前進するので、ペン先はペン先出入口５１を通過し、図１５（ｅ）、図１６（e）、図１７（ｅ）に示すように、ペン先が、ペン先孔を通じてケーシング１０の外部に露出する。
【００８４】
このようなペン先が露出した状態で、スプリングは最大の復元力を生じているが、動作制御部によってカートリッジがケーシングに固定されているので、ユーザが筆記のために使用する状態を維持する。
【００８５】
一方、ペン先をケーシング１０の内部に収納するためにノック部が再び押されたとき、動作制御部は、ケーシング１０からカートリッジ２０の固定状態を解除して、カートリッジ２０が後退する。
【００８６】
図１５（ｆ）に示すように、ペン先が後退してＯリング５０の内部通路を通り、Ｏリング５０も開閉リング４０も移動しなくなる。
【００８７】
その後、図１５（ｇ）に示すように、ペン先が所定の距離、後退したとき、ペン先延長軸の段部がペン先密閉部材５３によって保持され、図１５（ｈ）に示すように、Ｏリング５０及びこれと結合されている開閉リング４０が一緒に後退する。
【００８８】
開閉リング４０の後退及び反時計方向の回転移動によって、突起４３はケーシング１０の他端に当接し、その後、移動して、ガイドスロット１７の一端に当接する。
【００８９】
開閉リング４０の回転運動は楕円形の開口４１と円形の開口４２とを含む側面が反時計方向に回転するものである。これにより、ペン先出入口５１を開いた円形の開口４２が回転して、開閉リング４０の側面が徐々にペン先出入口５１を塞ぐ。
【００９０】
その後、開閉リング４０の側面はペン先出入口５１を完全に塞ぎ、突起４３はガイドスロット１７の一端と各々当接する位置に後退し、最終的に、ペン先はＯリング５０内に密閉状態で収納され、図１５（ａ）、図１６（ａ）及び図１７（ａ）に示す状態になる。
【図１】
2009545472.tif 000003
【図２】
2009545472.tif 000004
【図３】
2009545472.tif 000005
【図４】
2009545472.tif 000006
【図５】
2009545472.tif 000007
【図６】
2009545472.tif 000008
【図７】
2009545472.tif 000009
【図８】
2009545472.tif 000010
【図９】
2009545472.tif 000011
【図１０】
2009545472.tif 000012
【図１１】
2009545472.tif 000013
【図１２】
2009545472.tif 000014
【図１３】
2009545472.tif 000015
【図１４】
2009545472.tif 000016
【図１６】
2009545472.tif 000017
【図１７】
2009545472.tif 000018
【図１５】
2009545472.tif 000019
【国際調査報告】
2009545472.tif 000020
2009545472.tif 000021